Podtech/llm-jp-corpus-v4-ja_patent huggingface dataset:
【手続補正書】
【提出日】平成27年1月28日(2015.1.28)
【手続補正１】
【補正対象書類名】特許請求の範囲
【補正対象項目名】全文
【補正方法】変更
【補正の内容】
【特許請求の範囲】
【請求項１】
第１の電極層と、
光を透過する第２の電極層と、
前記第１の電極層及び前記第２の電極層に重畳し、前記第１の電極層及び前記第２の電極層の間に印加される電圧に応じて発光する発光層と、を含み、
前記第１の電極層は、
光を反射する第１の導電層と、
前記第１の導電層の一平面に設けられ、チタンを含む第２の導電層と、
前記第２の導電層と前記発光層の間に設けられ、光を透過し、前記第１の導電層の材料より仕事関数が高い金属酸化物を含む第３の導電層と、を有し、
前記第２の導電層の一部は酸化されていることを特徴とする発光素子。
【請求項２】
請求項１において、
第１の電極層及び前記第２の電極層の間において、前記発光層が射出する光は、干渉により強められることを特徴とする発光素子。
【請求項３】
請求項１又は請求項２において、
前記発光層は、前記第１の電極層の上に設けられ、
前記第２の電極層は、前記発光層の上に設けられ、
前記発光層は、電荷発生層及び前記電荷発生層を介して積層された複数の発光ユニットを有し、白色を呈する光を射出することを特徴とする発光素子。
【請求項４】
ソース及びドレインの一方に表示データ信号が入力される第１の電界効果トランジスタと、
ゲートが前記第１の電界効果トランジスタの前記ソース及び前記ドレインの他方に電気的に接続された第２の電界効果トランジスタと、
第１の電極及び第２の電極を有し、前記第１の電極が前記第２の電界効果トランジスタのソース又はドレインに電気的に接続され、前記第１の電極及び前記第２の電極に印加される電圧に応じて発光する発光素子と、を具備し、
前記発光素子は、
前記第１の電極としての機能を有する第１の電極層と、
前記第２の電極としての機能を有し、光を透過する第２の電極層と、
前記第１の電極層及び前記第２の電極層に重畳し、前記第１の電極層と前記第２の電極層の間に印加される電圧に応じて発光する発光層と、を含み、
前記第１の電極層は、
光を反射する第１の導電層と、
前記第１の導電層の一平面に設けられ、チタンを含む第２の導電層と、
前記第２の導電層と前記発光層の間に設けられ、光を透過し、前記第１の導電層の材料より仕事関数が高い金属酸化物を含む第３の導電層と、を有し、
前記第２の導電層の一部は酸化されていることを特徴とする表示装置。
【請求項５】
請求項４において、
第１の電極層及び前記第２の電極層の間において、前記発光層が射出する光は、干渉により強められることを特徴とする表示装置。
【請求項６】
請求項４又は請求項５において、
前記発光層は、前記第１の電極層の上に設けられ、
前記第２の電極層は、前記発光層の上に設けられ、
前記発光層は、電荷発生層及び前記電荷発生層を介して積層された複数の発光ユニットを有し、白色を呈する光を射出し、
前記発光素子から射出される光のうち、特定の波長の光を透過する着色層をさらに有することを特徴とする表示装置。
【請求項７】
発光部に設けられた発光素子を具備し、
前記発光素子は、
第１の電極層と、
光を透過する第２の電極層と、
前記第１の電極層及び前記第２の電極層に重畳し、前記第１の電極層及び前記第２の電極層の間に印加される電圧に応じて発光する発光層と、を含み、
前記第１の電極層は、
光を反射する第１の導電層と、
前記第１の導電層の一平面に設けられ、チタンを含む第２の導電層と、
前記第２の導電層と前記発光層の間に設けられ、光を透過し、前記第１の導電層の材料より仕事関数が高い金属酸化物を含む第３の導電層と、を有し、
前記第２の導電層の一部は酸化されていることを特徴とする照明装置。
【請求項８】
請求項７において、
第１の電極層及び前記第２の電極層の間において、前記発光層が射出する光は、干渉により強められることを特徴とする照明装置。
【請求項９】
請求項７又は請求項８において、
前記発光層は、前記第１の電極層の上に設けられ、
前記第２の電極層は、前記発光層の上に設けられ、
前記発光層は、電荷発生層及び前記電荷発生層を介して積層された複数の発光ユニットを有し、白色を呈する光を射出することを特徴とする照明装置。
【請求項１０】
第１の電極層と、
光を透過する第２の電極層と、
前記第１の電極層及び前記第２の電極層に重畳し、前記第１の電極層及び前記第２の電極層の間に印加される電圧に応じて発光する発光層と、を含む発光素子の作製方法であって、
第１の導電層を形成し、
前記第１の導電層の上に第２の導電層を形成し、
前記第２の導電層を形成した後に熱処理を行って前記第２の導電層の一部を酸化し、
前記熱処理後に前記第２の導電層の上に、前記第１の導電層の材料より仕事関数が高い金属酸化物を含む第３の導電層を形成することにより前記第１の電極層を形成することを特徴とする発光素子の作製方法。
【手続補正書】
【提出日】平成26年11月24日(2014.11.24)
【手続補正１】
【補正対象書類名】特許請求の範囲
【補正対象項目名】全文
【補正方法】変更
【補正の内容】
【特許請求の範囲】
【請求項１】
第１のカラーフィルタ層を含む第１の画素と、
第２のカラーフィルタ層を含む第２の画素と、を有し、
前記第１の画素は、第１の反射性を有する電極を含む第１の発光素子を有し、
前記第２の画素は、第２の反射性を有する電極を含む第２の発光素子を有し、
前記第１の発光素子は、前記第１の反射性を有する電極上に順に積層された、第１の発光層、電荷発生層、第２の発光層、及び透光性を有する電極を含み、
前記第２の発光素子は、前記第２の反射性を有する電極上に順に積層された、前記第１の発光層、前記電荷発生層、前記第２の発光層、及び前記透光性を有する電極を含み、
前記第１の画素において、前記第１の反射性を有する電極と、前記第１の発光層との光学距離は、前記第１のカラーフィルタ層の透過中心波長の１／４であり、
前記第２の画素において、前記第２の反射性を有する電極と、前記第２の発光層との光学距離は、前記第２のカラーフィルタ層の透過中心波長の３／４であり、
前記第１のカラーフィルタ層の透過中心波長は、前記第２のカラーフィルタ層の透過中心波長より短いことを特徴とする表示装置。
【請求項２】
請求項１において、前記第１の発光層の呈する発光色の波長は、前記第２の発光層の呈する発光色の波長より短いことを特徴とする表示装置。
【請求項３】
請求項１又は請求項２において、前記第２の発光素子は、前記第２の反射性を有する電極と、前記第１の発光層との間に透光性を有する導電層を含むことを特徴とする表示装置。
【請求項４】
第１のカラーフィルタ層を含む第１の画素と、
第２のカラーフィルタ層を含む第２の画素と、
第３のカラーフィルタ層を含む第３の画素と、を有し、
前記第１の画素は、第１の反射性を有する電極を含む第１の発光素子を有し、
前記第２の画素は、第２の反射性を有する電極を含む第２の発光素子を有し、
前記第３の画素は、第３の反射性を有する電極を含む第３の発光素子を有し、
前記第１の発光素子は、前記第１の反射性を有する電極上に順に積層された、第１の発光層、電荷発生層、第２の発光層、第３の発光層、及び透光性を有する電極を含み、
前記第２の発光素子は、前記第２の反射性を有する電極上に順に積層された、前記第１の発光層、前記電荷発生層、前記第２の発光層、前記第３の発光層、及び前記透光性を有する電極を含み、
前記第３の発光素子は、前記第３の反射性を有する電極上に順に積層された、前記第１の発光層、前記電荷発生層、前記第２の発光層、前記第３の発光層、及び前記透光性を有する電極を含み、
前記第１の画素において、前記第１の反射性を有する電極と、前記第１の発光層との光学距離は、前記第１のカラーフィルタ層の透過中心波長の１／４であり、
前記第２の画素において、前記第２の反射性を有する電極と、前記第２の発光層との光学距離は、前記第２のカラーフィルタ層の透過中心波長の３／４であり、
前記第３の画素において、前記第３の反射性を有する電極と、前記第３の発光層との光学距離は、前記第３のカラーフィルタ層の透過中心波長の５／４であり、
前記第１のカラーフィルタ層の透過中心波長は、前記第２のカラーフィルタ層の透過中心波長より短く、
前記第２のカラーフィルタ層の透過中心波長は、前記第３のカラーフィルタ層の透過中心波長より短いことを特徴とする表示装置。
【請求項５】
請求項４において、前記第１の発光層の呈する発光色の波長は、前記第２の発光層の呈する発光色の波長より短く、
前記第２の発光層の呈する発光色の波長は、前記第３の発光層の呈する発光色の波長より短いことを特徴とする表示装置。
【請求項６】
請求項４又は請求項５において、前記第２の発光素子は、前記第２の反射性を有する電極と、前記第１の発光層との間に透光性を有する導電層を含み、
前記第３の発光素子は、前記第３の反射性を有する電極と、前記第１の発光層との間に透光性を有する導電層を含み、
前記第２の発光素子に含まれる透光性を有する導電層は、前記第３の発光素子に含まれる透光性を有する導電層の膜厚と異なる膜厚を有することを特徴とする表示装置。
【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
ベース基板及び封止基板を有し、
前記ベース基板は、
第１の基板と、
前記第１の基板上の第１の電極層と、
前記第１の電極層上の有機ＥＬ層と、
前記有機ＥＬ層上の第２の電極層と、
前記第２の電極層を部分的に隆起させるように、前記第１の電極層と前記有機ＥＬ層の間に設けられた凸状の構造体と、を有し、
前記封止基板は、
第２の基板と、
前記第２の基板上の導電層と、を有し、
前記ベース基板と前記封止基板が、貼り合わされ、
前記導電層は前記第２の電極層より抵抗率が低く、
前記構造体と重畳する前記第２の電極層は少なくとも一部で前記導電層と接触して電気的に接続され、
前記ベース基板の前記第２の電極層形成面と、前記封止基板の前記導電層形成面が対向状態に貼り合わされていることを特徴とする発光装置。
【請求項２】
ベース基板及び封止基板を有し、
前記ベース基板は、
第１の基板と、
前記第１の基板上の第１の電極層と、
前記第１の電極層上の有機ＥＬ層と、
前記有機ＥＬ層上の第２の電極層と、
前記第２の電極層を部分的に隆起させるように、前記第１の基板と前記第１の電極層の間に設けられた凸状の構造体と、を有し、
前記封止基板は、
第２の基板と、
前記第２の基板上の導電層と、を有し、
前記ベース基板と前記封止基板が、貼り合わされ、
前記導電層は前記第２の電極層より抵抗率が低く、
前記構造体と重畳する前記第２の電極層は少なくとも一部で前記導電層と接触して電気的に接続され、
前記ベース基板の前記第２の電極層形成面と、前記封止基板の前記導電層形成面が対向状態に貼り合わされていることを特徴とする発光装置。
【請求項３】
前記導電層は、金、銀、銅、錫、アルミニウム、ニッケル、コバルト、又はこれらの合金からなる微細金属線、カーボンナノチューブ、微細金属粒子又は微細金属粒子の結合体を有し、
前記導電層が６０％以上の可視光透過率を有している、請求項１または請求項２に記載の発光装置。
【請求項４】
前記導電層は、金、白金、銀、銅、アルミニウム、チタン、ニッケル、コバルト、クロム、タングステン、モリブデン又はこれらを主成分とする合金材料のいずれか一以上の単層膜または積層膜であり、
前記導電層が６０％以上の可視光透過率を有している、請求項１または請求項２に記載の発光装置。
【請求項５】
前記導電層の抵抗率が３×１０−４Ω・ｍ以下である、請求項１乃至請求項４のいずれか一に記載の発光装置。
【請求項６】
前記第２の電極層と前記導電層の接触部分が線状に形成される、請求項１乃至請求項５のいずれか一に記載の発光装置。
【請求項７】
前記第１の基板として、熱伝導率が１０Ｗ・ｍ−１・Ｋ−１以上の材料で形成される、請求項１乃至請求項６のいずれか一に記載の発光装置。
【請求項８】
前記第１の基板は、前記構造体形成面とは異なる面に凹凸が形成されている、請求項１乃至請求項７のいずれか一に記載の発光装置。
【手続補正書】
【提出日】平成27年1月28日(2015.1.28)
【手続補正１】
【補正対象書類名】明細書
【補正対象項目名】発明の名称
【補正方法】変更
【補正の内容】
【発明の名称】発光装置
【手続補正２】
【補正対象書類名】特許請求の範囲
【補正対象項目名】全文
【補正方法】変更
【補正の内容】
【特許請求の範囲】
【請求項１】
反射電極層と、半透過電極層と、前記反射電極層と前記半透過電極層に挟持された発光層と、を含む第１乃至第３の発光素子を、有し、
前記第１の発光素子は、
前記反射電極層に接して前記発光層を有し、
前記発光層に接して前記半透過電極層を有し、
前記第２の発光素子は、
前記反射電極層に接して第１の透明電極層を有し、
前記第１の透明電極層に接して前記発光層を有し、
前記発光層に接して前記半透過電極層を有し、
前記第３の発光素子は、
前記反射電極層に接して第２の透明電極層を有し、
前記第２の透明電極層に接して前記発光層を有し、
前記発光層に接して前記半透過電極層を有し、
前記第１の透明電極層と前記第２の透明電極層の膜厚が異なる
ことを特徴とする発光装置。
【請求項２】
反射電極層と、半透過電極層と、前記反射電極層と前記半透過電極層に挟持された発光層と、を含む第１乃至第４の発光素子を、有し、
前記第１の発光素子は、
前記反射電極層に接して前記発光層を有し、
前記発光層に接して前記半透過電極層を有し、
前記第２の発光素子は、
前記反射電極層に接して第１の透明電極層を有し、
前記第１の透明電極層に接して前記発光層を有し、
前記発光層に接して前記半透過電極層を有し、
前記第３の発光素子は、
前記反射電極層に接して第２の透明電極層を有し、
前記第２の透明電極層に接して前記発光層を有し、
前記発光層に接して前記半透過電極層を有し、
前記第４の発光素子は、
前記反射電極層に接して第３の透明電極層を有し、
前記第３の透明電極層に接して前記発光層を有し、
前記発光層に接して前記半透過電極層を有し、
前記第１の透明電極層と前記第２の透明電極層と前記第３の透明電極層の膜厚が異なる
ことを特徴とする発光装置。
【請求項３】
反射電極層と、半透過電極層と、前記反射電極層と前記半透過電極層に挟持された発光層と、を含む第１乃至第３の発光素子と、
前記半透過電極層と対向して設けられた特定波長帯域の光を透過する有色層と、を有し、
前記第１の発光素子は、
前記反射電極層に接して前記発光層を有し、
前記発光層に接して前記半透過電極層を有し、
前記第２の発光素子は、
前記反射電極層に接して第１の透明電極層を有し、
前記第１の透明電極層に接して前記発光層を有し、
前記発光層に接して前記半透過電極層を有し、
前記第３の発光素子は、
前記反射電極層に接して第２の透明電極層を有し、
前記第２の透明電極層に接して前記発光層を有し、
前記発光層に接して前記半透過電極層を有し、
前記第１の透明電極層と前記第２の透明電極層の膜厚が異なる
ことを特徴とする発光装置。
【請求項４】
反射電極層と、半透過電極層と、前記反射電極層と前記半透過電極層に挟持された発光層と、を含む第１乃至第４の発光素子と、
前記半透過電極層と対向して設けられた特定波長帯域の光を透過する有色層と、を有し、
前記第１の発光素子は、
前記反射電極層に接して前記発光層を有し、
前記発光層に接して前記半透過電極層を有し、
前記第２の発光素子は、
前記反射電極層に接して第１の透明電極層を有し、
前記第１の透明電極層に接して前記発光層を有し、
前記発光層に接して前記半透過電極層を有し、
前記第３の発光素子は、
前記反射電極層に接して第２の透明電極層を有し、
前記第２の透明電極層に接して前記発光層を有し、
前記発光層に接して前記半透過電極層を有し、
前記第４の発光素子は、
前記反射電極層に接して第３の透明電極層を有し、
前記第３の透明電極層に接して前記発光層を有し、
前記発光層に接して前記半透過電極層を有し、
前記第１の透明電極層と前記第２の透明電極層と前記第３の透明電極層の膜厚が異なる
ことを特徴とする発光装置。
【手続補正書】
【提出日】平成27年1月21日(2015.1.21)
【手続補正１】
【補正対象書類名】特許請求の範囲
【補正対象項目名】全文
【補正方法】変更
【補正の内容】
【特許請求の範囲】
【請求項１】
第１の発光素子と、第２の発光素子と、を有し、
前記第１の発光素子は、第１の電極と、第２の電極と、第１の隔壁と、発光性の有機化合物を含む第１の層と、を有し、
前記第２の発光素子は、第３の電極と、第４の電極と、第２の隔壁と、分離層と、発光性の有機化合物を含む第２の層と、を有し、
前記第２の電極は、前記第１の電極と重畳し、
前記第１の隔壁は、前記第１の電極の端部を覆い、
前記発光性の有機化合物を含む第１の層は、前記第１の電極と前記第２の電極との間に設けられ、
前記第４の電極は、前記第３の電極と重畳し、
前記第２の隔壁は、前記第３の電極上に設けられ、
前記分離層は、前記第３の電極上及び前記第２の隔壁上に設けられ、
前記発光性の有機化合物を含む第２の層は、前記第３の電極と前記第４の電極との間に設けられ、
前記第２の電極は、前記第３の電極と電気的に接続され、
前記第２の電極及び前記第４の電極は、有機化合物と金属酸化物を含む複合材料を有することを特徴とする発光ユニット。
【請求項２】
請求項１において、
前記分離層は、脚部と、台部と、を有し、
前記台部は、前記脚部が前記第３の電極及び前記第２の隔壁と接する領域の外側にせり出して形成されていることを特徴とする発光ユニット。
【請求項３】
請求項２において、
前記第２の電極は、前記台部と重畳する領域で、前記第３の電極と電気的に接続されていることを特徴とする発光ユニット。
【請求項４】
請求項１乃至請求項３のいずれか一項において、
前記第２の電極は、前記第１の隔壁を介して前記第１の電極の端部と交差していることを特徴とする発光ユニット。
【請求項５】
請求項１乃至請求項４のいずれか一項において、
前記第２の電極及び前記第４の電極は、前記複合材料と、金属材料または透光性を有する導電性材料の積層であることを特徴とする発光ユニット。
【請求項６】
請求項１乃至請求項５のいずれか一項において、
前記有機化合物は、正孔輸送性の高い有機化合物であることを特徴とする発光ユニット。
【請求項７】
請求項１乃至請求項６のいずれか一項において、
前記金属酸化物は、酸化モリブデンであることを特徴とする発光ユニット。
【請求項８】
請求項１乃至請求項７のいずれか一項において、
前記複合材料は、ハロゲン元素を有することを特徴とする発光ユニット。
【請求項９】
請求項８において、
前記ハロゲン元素は、フッ素元素であることを特徴とする発光ユニット。
【請求項１０】
コンバータを有し、前記コンバータの出力電圧により、請求項１乃至請求項９のいずれか一項に記載の発光ユニットを駆動する発光装置。
【請求項１１】
請求項１乃至請求項９のいずれか一項に記載の発光ユニットを発光部に備える照明装置。
【手続補正書】
【提出日】平成27年1月20日(2015.1.20)
【手続補正１】
【補正対象書類名】特許請求の範囲
【補正対象項目名】全文
【補正方法】変更
【補正の内容】
【特許請求の範囲】
【請求項１】
基板上の下部電極層と、
前記下部電極層上の隔壁と、
前記隔壁上の補助配線と、
前記下部電極層上のＥＬ層と、
前記ＥＬ層上の上部電極層と、を有し、
前記補助配線は、導電性を有し、且つその上部が前記基板に水平な方向にせり出した形状を有し、
前記補助配線は、前記下部電極層と電気的に分離され、
前記上部電極層は、前記補助配線と電気的に接続する、発光装置。
【請求項２】
前記補助配線は、その側面と、前記補助配線の底部の最も外側の点と前記補助配線の側部の最もせり出した点とを結んだ線との間に、空間を有する、請求項１に記載の発光装置。
【請求項３】
前記上部電極層は、前記ＥＬ層が発する光に対して透光性を有し、
前記下部電極層は、前記光に対して反射性を有する、請求項１または請求項２に記載の発光装置。
【請求項４】
請求項１乃至請求項３のいずれか一に記載の発光装置を具備する、照明装置。
【請求項５】
請求項１乃至請求項３のいずれか一に記載の発光装置を具備する、表示装置。
【請求項６】
基板上に下部電極層を形成する工程と、
前記下部電極層上に隔壁を形成する工程と、
前記隔壁上に、導電性を有し、前記基板に水平な方向にせり出した側部を有する補助配線を形成する工程と、
前記下部電極層上にＥＬ層を形成する工程と、
前記ＥＬ層上に、前記補助配線と電気的に接続するように、上部電極層を形成する工程と、を有する、発光装置の作製方法。
【手続補正書】
【提出日】平成27年1月28日(2015.1.28)
【手続補正１】
【補正対象書類名】特許請求の範囲
【補正対象項目名】全文
【補正方法】変更
【補正の内容】
【特許請求の範囲】
【請求項１】
接続端子と発光部とを有する照明装置であって、
前記発光部は、一対の電極の間にＥＬ層を挟んでなる複数の発光セグメントをマトリクス状に有し、
前記複数の発光セグメントには、発光領域の面積が異なる発光セグメントが含まれることを特徴とする照明装置。
【請求項２】
接続端子と発光部とを有する照明装置であって、
前記発光部は、一対の電極の間に絶縁膜およびＥＬ層を挟んでなる複数の発光セグメントをマトリクス状に有し、
前記ＥＬ層と重なる位置における前記絶縁膜の複数の開口部の形状もしくは面積を変えることにより、前記複数の発光セグメントには、発光領域の面積が異なる発光セグメントが含まれることを特徴とする照明装置。
【請求項３】
接続端子と発光部とを有する照明装置であって、
前記発光部は、一対の電極間にＥＬ層を挟んでなる複数の発光セグメントをマトリクス状に有し、
前記一対の電極は、発光セグメント毎にそれぞれ分離して形成され、
第１の発光セグメントの陽極は、第２の発光セグメントの陰極と電気的に接続され、前記第１の発光セグメントの陰極は、第３の発光セグメントの陽極と電気的に接続され、
前記複数の発光セグメントには、発光領域の面積が異なる発光セグメントが含まれることを特徴とする照明装置。
【請求項４】
接続端子と発光部とを有する照明装置であって、
前記発光部は、一対の電極の間に絶縁膜およびＥＬ層を挟んでなる複数の発光セグメントをマトリクス状に有し、
前記一対の電極は、発光セグメント毎にそれぞれ分離して形成され、
第１の発光セグメントの陽極は、第２の発光セグメントの陰極と電気的に接続され、前記第１の発光セグメントの陰極は、第３の発光セグメントの陽極と電気的に接続され、
前記ＥＬ層と重なる位置における前記絶縁膜の複数の開口部の形状もしくは面積を変えることにより、前記複数の発光セグメントには、発光領域の面積が異なる発光セグメントが含まれることを特徴とする照明装置。
【請求項５】
請求項２又は４において、
前記絶縁膜の開口部に形成されるＥＬ層は、発光セグメントによって異なる発光色を示す材料を用いることを特徴とする照明装置。
【請求項６】
接続端子と発光部とを有する照明装置であって、
前記発光部は、一対の電極の間にＥＬ層を挟んでなる複数の発光セグメントをマトリクス状に有し、
前記複数の発光セグメントには、発光領域の面積が異なる発光セグメントが含まれており、
前記複数の発光セグメントが発光することにより、前記発光部が映像、模様、色彩若しくはこれらの結合を映し出すことを特徴とする照明装置。
【請求項７】
接続端子と発光部とを有する照明装置であって、
前記発光部は、一対の電極の間にＥＬ層を挟んでなる複数の発光セグメントをマトリクス状に有し、
前記複数の発光セグメントには、発光領域の面積と、発光色が異なる発光セグメントが含まれており、
前記複数の発光セグメントが発光することにより、前記発光部が映像、模様、色彩若しくはこれらの結合を映し出すことを特徴とする照明装置。
【請求項８】
請求項１乃至７のいずれか一において、
前記発光領域と重なる位置にカラーフィルタを有し、
前記ＥＬ層には白色発光を示す材料を用いることを特徴とする照明装置。
【手続補正書】
【提出日】平成27年2月10日(2015.2.10)
【手続補正１】
【補正対象書類名】特許請求の範囲
【補正対象項目名】全文
【補正方法】変更
【補正の内容】
【特許請求の範囲】
【請求項１】
複数の端子位置（２２）を有する第１の平面導体（２０）と、
複数の端子位置（３２）を有する第２の平面導体（３０）と、
前記第１の平面導体（２０）と前記第２の平面導体（３０）の間に配置された第１の平面絶縁体（４０）と、
前記第１の平面導体（２０）に電気的に接続された第１のインピーダンス素子（２４）であって、前記第１の平面導体（２０）とは同一平面上にない平面内に延びる、第１のインピーダンス素子（２４）と、
前記第２の平面導体（３０）に電気的に接続された第２のインピーダンス素子（３４）であって、前記第２の平面導体（３０）とは同一平面上にない平面内に延び、さらに前記第１のインピーダンス素子（２４）および前記第２のインピーダンス素子（３４）は、それらの間に間隙（５０）を画定するように構成される、第２のインピーダンス素子（３４）と、
前記間隙（５０）内に配置された第２の平面絶縁体（４５）と
を備え、
前記第２の平面絶縁体（４５）が前記第１のインピーダンス素子（２４）と同一面にある
バスバー（１０）。
【請求項２】
前記間隙（５０）が約１ミルから約７０ミルの範囲内である、請求項１記載のバスバー（１０）。
【請求項３】
前記第１のインピーダンス素子（２４）および前記第２のインピーダンス素子（３４）の１つがＬ字形である、請求項１記載のバスバー（１０）。
【請求項４】
前記第１のインピーダンス素子（２４）および前記第２のインピーダンス素子（３４）の１つと、前記第２の平面絶縁体（４５）とがほぼ平行である、請求項１記載のバスバー（１０）。
【請求項５】
前記第１の平面絶縁体（４０）および前記第２の平面絶縁体（４５）の１つが、ポリイミド、エポキシガラス、およびポリテトラフルオロエチレンからなる、請求項１記載のバスバー（１０）。
【請求項６】
前記第１のインピーダンス素子（２４）および前記第２のインピーダンス素子（３４）がほぼ平行である、請求項１記載のバスバー（１０）。
【請求項７】
前記第１のインピーダンス素子（２４）および前記第２のインピーダンス素子（３４）の１つが、前記第１の平面導体（２０）および前記第２の平面導体（３０）にほぼ垂直である、請求項１記載のバスバー（１０）。
【請求項８】
前記複数の端子位置（２２、３２）が、エネルギー源（６０）および電力スイッチ（７０）の１つに接続するように構成された、請求項１記載のバスバー（１０）。
【請求項９】
前記エネルギー源（６０）が、コンデンサおよび電気化学電池の１つを備える、請求項８記載のバスバー（１０）。
【請求項１０】
実質的に前記第１の平面導体（２０）および前記第２の平面導体（３０）の電流経路（７５）内で、前記第１のインピーダンス素子（２４）および前記第２のインピーダンス素子（３４）が、前記第１の平面導体（２０）および前記第２の平面導体（３０）に接続される、請求項１記載のバスバー（１０）。
【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
半導体デバイスであって、
複数の導電性配線を含む第１層と、
複数の導電性配線を含む第２層と、
前記第１層と前記第２層との間の非導電性材料と、
第１層の第１配線と第２層の第１配線の交点において、前記非導電性材料を貫通し第１層と第２層とを接続する第１導電性ビアと、
前記第２層の第２配線と、前記半導体デバイスの他のあらゆる層の配線から電気的に絶縁された導電性部材との間に接続された第２導電性ビアと
を備える半導体デバイス。
【請求項２】
前記第２導電性ビアは、前記第１導電性ビアから所定の距離内にある唯一のビアである、請求項１に記載の半導体デバイス。
【請求項３】
前記第２導電性ビアは前記第１層と前記第２層との間にある、請求項１に記載の半導体デバイス。
【請求項４】
前記第１層および前記第２層の配線は、前記半導体デバイスに電力および接地信号を伝導する配線より小さい、請求項１に記載の半導体デバイス。
【請求項５】
前記第１層の配線は前記第２層の配線に対して垂直である、請求項１に記載の半導体デバイス。
【請求項６】
前記導電性部材は少なくとも２ピッチの長さである、請求項１に記載の半導体デバイス。
【請求項７】
前記第２導電性ビアは、前記第１層と前記第２層との間において、前記第１導電性ビアから所定の距離内にある唯一のビアである、請求項１に記載の半導体デバイス。
【請求項８】
前記導電性部材は、前記第２層の配線とおおよそ同一の幅を有する、請求項１に記載の半導体デバイス。
【請求項９】
前記第１導電性ビアおよび前記第２導電性ビアは互いに電気的に絶縁されている、請求項１に記載の半導体デバイス。
【請求項１０】
前記第１層における配線間のピッチは、冗長ビアのピッチよりも小さい、請求項１に記載の半導体デバイス。
【請求項１１】
半導体デバイスを形成する方法であって、
複数の信号配線を含む第１導電性層を形成すること、
前記第１導電性層上に誘電体層を付け加えること、
孤立ビアの近くにおいて、前記誘電体層上に、または前記誘電体層内に導電性パッドを形成することであって、前記孤立ビアは、前記第１導電性層の第１配線と第２導電性層の第１配線との間に接続されている、前記導電性パッドを形成すること、
前記第２層の第２配線と前記導電性パッドとの間にダングリングビアを形成することであって、前記導電性パッドは、前記ダングリングビア以外の前記半導体デバイスにおける部品から分離されている、前記ダングリングビアを形成すること
を含む方法。
【請求項１２】
前記ダングリングビアは、前記第１導電性層と前記第２導電性層との間において、前記孤立ビアから所定の距離内にある唯一のビアである、請求項１１に記載の方法。
【請求項１３】
前記第１導電性層と前記第２導電性層との間において特定のビア密度を達成するために複数の導電性パッドおよびダングリングビアを形成することをさらに含む、請求項１１に記載の方法。
【手続補正書】
【提出日】平成27年2月4日(2015.2.4)
【手続補正１】
【補正対象書類名】特許請求の範囲
【補正対象項目名】全文
【補正方法】変更
【補正の内容】
【特許請求の範囲】
【請求項１】
基板上に形成された２本以上のビット線と、
前記ビット線上に形成され、１対の溝を有する絶縁体と、
前記１対の溝の側面に形成され、前記絶縁体を間に挟んで向き合う第１および第２のワード線と、
前記第１および第２のワード線のそれぞれと前記絶縁体の側面に挟まれた１つあるいは２つの半導体領域と、
前記絶縁体の頂部に設けられた電極と、
前記電極と電気的に接続するキャパシタとを有する半導体メモリ装置。
【請求項２】
前記ビット線と前記半導体領域は、前記溝の底部で電気的に接続されていることを特徴とする請求項１記載の半導体メモリ装置。
【請求項３】
前記ビット線の一の深さが前記ビット線の他の深さと異なることを特徴とする請求項１に記載の半導体メモリ装置。
【請求項４】
前記半導体領域は酸化物半導体を有することを特徴とする請求項１に記載の半導体メモリ装置。
【請求項５】
第１の絶縁体と、
前記第１の絶縁体上に接し、頂部と側面を有する第２の絶縁体と、
前記第２の絶縁体上及び側面に半導体領域と、
前記半導体領域を間に挟んで前記第２の絶縁体に隣接する第３の絶縁体と、
前記半導体領域と前記第３の絶縁体とを挟んで前記第２の絶縁体の側面に隣接するゲートと、
前記第２の絶縁体の頂部に形成され、前記半導体領域に接する第１の電極と、
前記第１の絶縁体の一部に形成された第２の電極とを有し、
前記半導体領域の一部は前記第２の電極に接し、
前記第２の絶縁体の側面は前記第２の絶縁体の頂部と前記第２の電極との間に位置することを特徴とする半導体メモリ装置。
【請求項６】
第１の絶縁体上にビット線を形成する工程と、
前記ビット線上に第２の絶縁体を形成する工程と、
前記第２の絶縁体に第１のコンタクトホールを形成する工程と、
前記第２の絶縁体上に第３の絶縁体を形成する工程と、
前記第３の絶縁体をエッチングして、少なくとも２つの溝を設ける工程と、
前記第３の絶縁体の溝の側面を含む領域に島状あるいはストライプ状の半導体領域を設ける工程と、
導電性膜を形成する工程と、
前記導電性膜を異方性エッチングして前記第３の絶縁体の溝の側面にワード線を形成する工程と、
第４の絶縁体を形成する工程と、
前記第４の絶縁体をエッチングして、前記第３の絶縁体の２つの溝の間の頂部に達する第２のコンタクトホールを形成する工程と、を有する半導体メモリ装置の作製方法。
【手続補正書】
【提出日】平成27年2月3日(2015.2.3)
【手続補正１】
【補正対象書類名】明細書
【補正対象項目名】発明の名称
【補正方法】変更
【補正の内容】
【発明の名称】半導体膜の作製方法
【手続補正２】
【補正対象書類名】特許請求の範囲
【補正対象項目名】全文
【補正方法】変更
【補正の内容】
【特許請求の範囲】
【請求項１】
反応室を有するプラズマＣＶＤ装置を用いた半導体膜の作製方法であって、
前記反応室の第１の電極及び第２の電極の間に基板を配置し、
前記第１の電極に高周波電力を供給することにより前記反応室内にプラズマを発生させることによって、前記基板の端部よりも内側の領域上に半導体膜を形成し、
前記反応室内において、前記プラズマは、前記基板の端部よりも内側の領域上及び前記基板の端部上に発生し、
前記基板の端部上のプラズマ密度は、前記基板の端部よりも内側の領域上のプラズマ密度よりも高いことを特徴とする半導体膜の作製方法。
【手続補正書】
【提出日】平成27年1月28日(2015.1.28)
【手続補正１】
【補正対象書類名】明細書
【補正対象項目名】発明の名称
【補正方法】変更
【補正の内容】
【発明の名称】発光素子、発光装置、および照明装置
【手続補正２】
【補正対象書類名】特許請求の範囲
【補正対象項目名】全文
【補正方法】変更
【補正の内容】
【特許請求の範囲】
【請求項１】
第１の電極と第２の電極との間に発光層を有し、
前記第１の電極と前記発光層との間に、前記第１の電極と接する第１の酸化物層を有し、
前記第２の電極と前記発光層との間に、前記第２の電極と接する第２の酸化物層を有することを特徴とする発光素子。
【請求項２】
第１の電極と第２の電極との間に発光層を有し、
前記第１の電極と前記発光層との間に、前記第１の電極と接する第１の酸化物層を有し、
前記第２の電極と前記発光層との間に、前記第２の電極と接する第２の酸化物層を有し、
前記第２の電極と前記発光層との間に、前記発光層と接する電子注入層を有し、
前記第２の電極と前記発光層との間に、前記電子注入層と接する前記第３の酸化物層を有することを特徴とする発光素子。
【請求項３】
第１の電極と第２の電極との間に、中間層を有し、
前記第１の電極と前記中間層との間に、第１の発光層を有し、
前記第２の電極と前記中間層との間に、第２の発光層を有し、
前記第１の電極と前記第１の発光層との間に、前記第１の電極と接する第１の酸化物層を有し、
前記第２の電極と前記第２の発光層との間に、前記第２の電極と接する第２の酸化物層を有することを特徴とする発光素子。
【請求項４】
第１の電極と第２の電極との間に、中間層を有し、
前記第１の電極と前記中間層との間に、第１の発光層を有し、
前記第２の電極と前記中間層との間に、第２の発光層と、前記第２の発光層と接する電子注入層と、を有し、
前記第１の電極と前記第１の発光層との間に、前記第１の電極と接する第１の酸化物層を有し、
前記第２の電極と前記第２の発光層との間に、前記第２の電極と接する第２の酸化物層と、前記電子注入層と接する第３の酸化物層と、を有することを特徴とする発光素子。
【請求項５】
請求項１乃至請求項４のいずれか一に記載の発光素子を有する発光装置。
【請求項６】
請求項１乃至請求項４のいずれか一に記載の発光素子を有する照明装置。
【手続補正書】
【提出日】平成27年2月3日(2015.2.3)
【手続補正１】
【補正対象書類名】明細書
【補正対象項目名】発明の名称
【補正方法】変更
【補正の内容】
【発明の名称】発光素子
【手続補正２】
【補正対象書類名】特許請求の範囲
【補正対象項目名】全文
【補正方法】変更
【補正の内容】
【特許請求の範囲】
【請求項１】
陽極と陰極の間に、少なくとも正孔注入層及び発光層を有するＥＬ層が設けられ、
前記正孔注入層は、前記陽極と前記発光層の間に設けられ、
前記正孔注入層は、酸化モリブデンを含み、
前記正孔注入層は、アルカリ金属またはアルカリ土類金属を含むことを特徴とする発光素子。
【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
有効成分として(＋)−1,4−ジヒドロ−7−[(3Ｓ,4Ｓ)−3−メトキシ−4−(メチルアミノ)−1−ピロリジニル]−4−オキソ−1−(2−チアゾリル)−1,8−ナフチリジン−3−カルボン酸を含む、患者のガンの治療用医薬組成物であって、エトポシド、ダウノマイシン、5-FU、シタラビン、メトトレキサート、シスプラチン、カルボプラチン、マイトマイシンC、アクチノマイシンD、ゲルダナマイシン、及びウォートマンニンから選択される薬剤と組み合わせて共投与される、前記医薬組成物。
【請求項２】
前記薬剤が、シタラビンである、請求項１記載の医薬組成物。
【請求項３】
(＋)−1,4−ジヒドロ−7−[(3Ｓ,4Ｓ)−3−メトキシ−4−(メチルアミノ)−1−ピロリジニル]−4−オキソ−1−(2−チアゾリル)−1,8−ナフチリジン−3−カルボン酸を約10 mg/m2 〜 100 mg/m2  の用量を投与するために適当な量の  (＋)−1,4−ジヒドロ−7−[(3Ｓ,4Ｓ)−3−メトキシ−4−(メチルアミノ)−1−ピロリジニル]−4−オキソ−1−(2−チアゾリル)−1,8−ナフチリジン−3−カルボン酸を含む、請求項１記載の医薬組成物。
【請求項４】
前記用量が約30 mg/m2 〜 75 mg/m2 である、請求項３記載の組成物。
【請求項５】
前記用量が約40 mg/m2 〜 80 mg/m2 である、請求項３記載の組成物。
【請求項６】
前記用量が約50 mg/m2 〜 90 mg/m2 である、請求項３記載の組成物。
【請求項７】
シタラビンが少なくとも100 mg/m2の用量で投与される、請求項１〜６のいずれか一項記載の組成物。
【請求項８】
前記ガンが白血病である、請求項１〜７のいずれか一項記載の組成物。
【請求項９】
シタラビンが静脈内に投与される、請求項１〜８のいずれか一項記載の組成物。
【請求項１０】
患者のガンの治療方法であって、請求項１〜９のいずれか一項記載の組成物を該患者に投与することを含む、前記治療方法。
【手続補正書】
【提出日】平成27年11月9日(2015.11.9)
【手続補正１】
【補正対象書類名】明細書
【補正対象項目名】００１９
【補正方法】変更
【補正の内容】
【００１９】
接続ライン１５ａは、第１の反応装置１０の抜き出し口１１ｂから第２の反応装置２０の供給口２１ａまでの間に位置する合流部にて、補充ライン１５ｂとインジェクションバルブ５０を介して合流している。本実施形態において、補充ライン１５ｂは、２段重合用原料モノマータンク（新たな原料モノマーおよび重合開始剤の供給源）１７ａにポンプ１９ａを介して接続されており、かつ、１段重合用原料モノマータンク（新たな原料モノマーおよび重合禁止剤の供給源）１７ｂにポンプ１９ｂを介して接続されている。補充ライン１５ｂに、２段重合用原料モノマータンク１７ａおよび１段重合用原料モノマータンク１７ｂのいずれから少なくとも原料モノマーを含む流体を供給するかは、補充ライン１５ｂよりもポンプ側に挿入されたバルブＶによって制御可能であり、これにより、補充ライン１５ｂが、原料モノマーおよび重合開始剤の供給源と、原料モノマーおよび重合禁止剤の供給源とに、切り替え可能に接続される。本実施形態において、２段重合用原料モノマータンク１７ａは、原料モノマーに加えて重合開始剤を含んでいることから、新たな重合開始剤の供給源として理解され得るが、新たな重合開始剤の供給源の数および重合開始剤の態様（例えば混合物の場合にはその組成）などは、新たな重合開始剤を第２の反応装置２０に適切に供給し得る限り、特に限定されない。第２の反応装置２０の供給口２１ａが、図１に実線で示すように、２段重合用原料モノマータンク１７ａにポンプ１９ａを介して、インジェクションバルブ５０により接続ライン１５ａを通じて接続されていてよく、更に、第２の反応装置２０に別の供給口２１ｃが設けられ、この供給口２１ｃが、例えば図１に点線で示すように、重合開始剤タンク１７ａにポンプ１９ａを介して接続されていてもよい。しかしながら、本発明はかかる実施形態に限定されず、少なくとも原料モノマーを含む流体を補充ライン１５ｂからインジェクションバルブ５０より接続ライン１５ａに供給することができればよい。例えば、２段重合用原料モノマータンク１７ａおよび１段重合用原料モノマータンク１７ｂとこれらに付随するポンプ１９ａおよび１９ｂに代えて、原料モノマーを含み、かつ、重合開始剤および重合禁止剤のいずれも含まない（共通の）原料モノマータンクとこれに付随するポンプとを用いてもよい。
【手続補正２】
【補正対象書類名】明細書
【補正対象項目名】００４５
【補正方法】変更
【補正の内容】
【００４５】
重合開始剤は、生成する重合体（ポリマー）や使用する原料モノマーの種類に応じて選定される。例えば、本発明を特に限定するものではないが、重合開始剤（ラジカル開始剤）は、重合温度での重合開始剤の半減期をτ（秒）とし、反応装置での平均滞留時間をθ（秒）として、τ／θ（−）が、例えば０．１以下であり、好ましくは０．０２以下であり、より好ましくは０．０１以下であるものを使用できる。τ／θの値がかかる数値以下であれば、重合開始剤が反応装置内で十分に分解（ひいてはラジカル発生）し、重合反応を効果的に開始させることができる。また、重合開始剤が第１の反応装置１０内で十分に分解されるので、接続ライン１５ａ内で重合開始剤が分解して重合を開始することを効果的に低減でき、この結果、中間組成物が接続ライン１５ａを通る間にその粘度が上昇したり、中間組成物によって接続ライン１５ａが閉塞されたりすることを効果的に回避することができる。
【手続補正３】
【補正対象書類名】明細書
【補正対象項目名】００７０
【補正方法】変更
【補正の内容】
【００７０】
原料モノマータンク１にて、上述のような原料モノマー（１種または２種以上の混合物）を（場合により連鎖移動剤などの他の成分と共に）適宜調合する。また、重合開始剤タンク３にて、上述のような重合開始剤を、必要に応じて原料モノマーと（場合により連鎖移動剤などの他の成分と共に）適宜調合する。重合開始剤タンク３には、重合開始剤を単独で貯留してもよく、原料モノマーと重合開始剤との混合物（場合により連鎖移動剤などの他の成分を更に含み得る）の形態で貯留してもよい。２段重合用原料モノマータンク１７ａにて、上述のような原料モノマーおよび重合開始剤の混合物を（場合により連鎖移動剤などの他の成分と共に）適宜調合する。２段重合用原料モノマータンク１７ａは、少なくとも原料モノマーを含む流体を貯留するものであればよいが、第２の反応装置２０での連続重合を促進するためには、かかる流体は、本実施形態のように原料モノマーおよび重合開始剤を含むことが好ましい。但し、２段重合用原料モノマータンク１７ａにポンプ１９ａを介して供給口２１ｃが接続される場合には、本実施形態のように、原料モノマーと重合開始剤との混合物の形態で貯留すると、重合開始剤が原料モノマーの一部と予め混合されているので、（例えば重合開始剤を単独で反応装置２０に供給した場合のように）反応装置２０において局所的に重合反応が進行するおそれが解消され得る。
【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
末梢性Ｔ細胞リンパ腫を処置するための組成物であって、該組成物は、以下の
【化３０】
2014148552.tif 000001
またはその薬学的に受容可能な塩からなる群より選択される化合物を含有し、該化合物の用量は、１０〜１０００ｍｇ／ｍ２である、組成物。
【請求項２】
静脈内投与されることを特徴とする、請求項１に記載の組成物。
【請求項３】
前記化合物の用量が、１００〜５００ｍｇ／ｍ２である、請求項１または２のいずれか一項に記載の組成物。
【請求項４】
前記化合物の用量が、２００〜４２０ｍｇ／ｍ２である、請求項１〜３のいずれか一項に記載の組成物。
【請求項５】
前記化合物の用量が、２００〜３００ｍｇ／ｍ２である、請求項１〜４のいずれか一項に記載の組成物。
【請求項６】
４週間毎に５日間にわたって毎日投与するための組成物であることを特徴とする、請求項１〜５のいずれか一項に記載の組成物。
【請求項７】
４週間毎に連続５日間にわたって毎日投与するための組成物であることを特徴とする、請求項６に記載の組成物。
【請求項８】
末梢性Ｔ細胞リンパ腫を処置するための医薬の製造における、式（Ｉ）の化合物
【化３１】
2014148552.tif 000002
またはその薬学的に受容可能な塩の使用であって、該化合物の用量が、１０〜１０００ｍｇ／ｍ２である、使用。
【請求項９】
前記医薬が、静脈内投与するための医薬である、請求項８に記載の使用。
【請求項１０】
前記化合物の用量が、１００〜５００ｍｇ／ｍ２である、請求項８または９のいずれか一項に記載の使用。
【請求項１１】
前記化合物の用量が、２００〜４２０ｍｇ／ｍ２である、請求項８〜１０のいずれか一項に記載の使用。
【請求項１２】
前記化合物の用量が、２００〜３００ｍｇ／ｍ２である、請求項８〜１１のいずれか一項に記載の使用。
【請求項１３】
前記医薬が、４週間毎に５日間にわたって毎日投与するための医薬である、請求項８〜１２のいずれか一項に記載の使用。
【請求項１４】
前記医薬が、４週間毎に連続５日間にわたって毎日投与するための医薬である、請求項１３に記載の使用。
【手続補正書】
【提出日】平成27年11月9日(2015.11.9)
【手続補正１】
【補正対象書類名】明細書
【補正対象項目名】００２５
【補正方法】変更
【補正の内容】
【００２５】
また、本発明に必須ではないが、接続ライン１５ａは、接続ライン１５ａ内の温度分布の均一性を高め、また、接続ライン１５ａ内を流れる中間組成物（後述する）による接続ライン１５ａの閉塞を抑制できるという点で、混合手段を備えることが好ましい。混合手段は、冷却効率を高めるという点で、接続ライン１５ａの下流側部分、即ち、第２の反応装置２０の第１の供給口２１ａに近い側に備えることが好ましい。混合手段としては、例えば、スタティックミキサー、動的混合機などが挙げられ、なかでも、スタティックミキサーが好ましい。スタティックミキサーは、駆動部を要しないミキサーであり、接続ライン１５ａに任意の適切な態様で設けられる。例えば、図１〜２においては、接続ライン１５ａの下流側部分の内部の適切な位置にスタティックミキサーが挿入されていてもよいし、接続ライン１５ａの下流側部分の一部または全部を、ラインを形成するスタティックミキサーで置換してもよい。図３においては、接続ライン１５ａの下流側部分（冷却器４０が存在する場合にはそれ以外のライン部分）の内部の適切な位置にスタティックミキサーが挿入されていてもよいし、接続ライン１５ａの下流側部分（冷却器４０が存在する場合にはそれ以外のライン部分）の一部または全部を、ラインを形成するスタティックミキサーで置換してもよい。スタティックミキサーとしては、例えば、スルーザー・ケムテック社（Sulzer Chemtech Ltd）製の「スルーザーミキサー」等が挙げられ、例えばＳＭＸ型、ＳＭＩ型、ＳＭＶ型、ＳＭＦ型、ＳＭＸＬ型等のスルーザーミキサーが使用され得る。重合開始剤タンク１７がポンプ１９を介して接続ライン１５ａ上に接続されている場合には、重合開始剤タンク１７に接続された供給ライン１５ｃと接続ライン１５ａとの合流部の下流側部分に混合手段を備えることが好ましい。
【手続補正２】
【補正対象書類名】明細書
【補正対象項目名】００２９
【補正方法】変更
【補正の内容】
【００２９】
ジャケット１３および２３は、反応装置１０および２０のそれぞれについて略全体を覆っており、熱媒供給路（図示せず）から蒸気、熱水、有機熱媒体などの熱媒を導入することにより、反応装置１０および２０を、適宜加熱または保温する。ジャケット１３および２３の温度は、供給される熱媒の温度または圧力によって、適宜調節することができる。ジャケット１３および２３内に導入された熱媒は、熱媒排出路（図示せず）から除去される。また、ジャケット１３および２３の温度や圧力は、熱媒排出路上に設けられた温度センサ（図示せず）などのセンサによって検知される。温度センサなどのセンサの配置箇所については、特に限定されるものではなく、例えば、熱媒供給路上や、ジャケット１３および２３内であってもよい。図２において接続ライン１５ａに冷却手段として備えられるジャケット１６、ならびに存在する場合には原料モノマータンク２および／または補充ライン１５ｂに温度調節手段として備えられるジャケットは、これらジャケット１３および２３と同様の構成を有するものであってよい。図２の実施形態を限定するものではないが、典型的には、接続ライン１５ａは二重管であってよく、内側管の内部空間が中間組成物（後述する）の流路となり、内側の管と外側の管との間の空間は熱媒の流路（ジャケット１６）となる。
【手続補正３】
【補正対象書類名】明細書
【補正対象項目名】００５１
【補正方法】変更
【補正の内容】
【００５１】
重合開始剤は、生成する重合体（ポリマー）組成物や使用する原料モノマーの種類に応じて選定される。例えば、本発明を特に限定するものではないが、重合開始剤（ラジカル開始剤）は、重合温度での重合開始剤の半減期をτ（秒）とし、反応装置での平均滞留時間をθ（秒）として、τ／θ（−）が、例えば０．１以下であり、好ましくは０．０２以下であり、より好ましくは０．０１以下であるものを使用できる。τ／θの値がかかる数値以下であれば、重合開始剤が反応装置内で十分に分解（ひいてはラジカル発生）し、重合反応を効果的に開始させることができる。また、重合開始剤が第１の反応装置１０内で十分に分解されるので、接続ライン１５ａ内で重合開始剤が分解して重合を開始することを効果的に低減でき、この結果、中間組成物が接続ライン１５ａを通る間にその粘度が上昇したり、中間組成物によって接続ライン１５ａが閉塞されたりすることを効果的に回避することができる。
【手続補正書】
【提出日】平成27年2月20日(2015.2.20)
【手続補正１】
【補正対象書類名】特許請求の範囲
【補正対象項目名】全文
【補正方法】変更
【補正の内容】
【特許請求の範囲】
【請求項１】
エンジンの排気通路に設けられた選択還元型触媒と、
前記排気通路のうち前記選択還元型触媒の上流に尿素系流体を供給する流体供給装置と、
原料ガスを高酸素濃度ガス及び高窒素濃度ガスに分離するガス分離部と、
前記高酸素濃度ガスが導入されるオゾン生成空間を有し、導入された前記高酸素濃度ガスからオゾンを生成するオゾン発生器と、
前記排気通路のうち前記選択還元型触媒の上流にオゾンを供給するオゾン供給部と、
前記高窒素濃度ガスを冷気及び暖気に分けて排出するボルテックスチューブと、
前記ボルテックスチューブから排出された冷気を前記オゾン発生器に当てることによって前記オゾン生成空間を冷却する冷却装置とを備えた排気浄化システム。
【請求項２】
前記ボルテックスチューブから排出される暖気を前記流体供給装置に導く暖気通路と、
前記暖気通路を介して送られた暖気によって前記尿素系流体を昇温する熱交換部と、
前記暖気通路を開閉するバルブとをさらに備える請求項１に記載の排気浄化システム。
【請求項３】
前記ボルテックスチューブから排出される暖気を前記エンジンに向けて導く暖気通路と、
前記暖気通路を介して送られた暖気によって前記エンジンを暖機する熱交換部と、
前記暖気通路を開閉するバルブとをさらに備える請求項１に記載の排気浄化システム。
【請求項４】
前記ボルテックスチューブは第１のボルテックスチューブであり、
前記高酸素濃度ガスを冷気及び暖気に分けてそれぞれ排出する第２のボルテックスチューブをさらに備え、
前記第２のボルテックスチューブから排出された冷気を前記オゾン発生器に導入して低温の前記高酸素濃度ガスからオゾンを生成する請求項１〜３のいずれか１項に記載の排気浄化システム。
【請求項５】
空気を圧縮するコンプレッサと、
前記コンプレッサから送られた圧縮ガスを乾燥し、乾燥した圧縮ガスを前記ガス分離部に送るドライヤとをさらに備え、
前記冷却装置は、
前記ドライヤによって前記圧縮ガスから除去された水分を前記オゾン発生器まで導く排水供給路と、
前記オゾン発生器に設けられた吸湿材とをさらに備え、
前記冷却装置は、前記水分を前記吸湿材に浸透させるとともに前記ボルテックスチューブから噴射される冷気を前記吸湿材に当てることによって、前記吸湿材に浸透した水を気化させる請求項１〜４のいずれか１項に記載の排気浄化システム。
【請求項６】
原料ガスを高酸素濃度ガス及び高窒素濃度ガスに分離するガス分離部と、
前記高酸素濃度ガスが導入されるオゾン生成空間を有し、導入された前記高酸素濃度ガスからオゾンを生成するオゾン発生器と、
前記高窒素濃度ガスを冷気及び暖気に分けて排出するボルテックスチューブと、
前記ボルテックスチューブから排出された冷気を前記オゾン発生器に当てることによって前記オゾン生成空間を冷却する冷却装置とを備えたオゾン生成装置。
【請求項７】
前記ボルテックスチューブは第１のボルテックスチューブであり、
前記高酸素濃度ガスを冷気と暖気とに分けて排出する第２のボルテックスチューブをさらに備え、
前記第２のボルテックスチューブから排出された冷気を前記オゾン発生器に導入し、低温の前記高酸素濃度ガスからオゾンを生成する請求項６に記載のオゾン生成装置。
【手続補正２】
【補正対象書類名】明細書
【補正対象項目名】００２７
【補正方法】変更
【補正の内容】
【００２７】
尿素水供給装置２２は、尿素系流体としての尿素水を貯留するとともに、尿素水を排気通路１５の選択還元型触媒２１よりも上流側に供給する。尿素水は、排ガスの熱で加水分解してアンモニアとなる。アンモニアは、反応式（２）のように、排ガスに含まれる一酸化窒素及び二酸化窒素と反応し、それらを窒素に還元する。
ＮＯ＋ＮＯ２＋ＮＨ３→２Ｎ２＋３Ｈ２Ｏ・・・（２）
【手続補正書】
【提出日】平成27年2月27日(2015.2.27)
【手続補正１】
【補正対象書類名】明細書
【補正対象項目名】００３２
【補正方法】変更
【補正の内容】
【００３２】
この結果、シート部２０１における流速とペネトレーションとの関係は図６のようになり、特に流速が速い領域で急激にペネトレーションが短縮される領域が現れる。横軸は、シート部２０１における流速を燃料圧力（単位はＭＰａ）の平方根で除して正規化した値（シート部流速特性値）であり、縦軸はある燃料圧力（単位はＭＰａ）でのペネトレーションである。図６のように、シート部流速特性値が２８を超えると、燃料圧力に依らずペネトレーションを急激に減少させられる。